(57)【要約】      （修正有）【課題】エチレングリコール液と孟宗竹の竹炭微粉末を混合した床暖房用循環液の製造装置、および、前記製造装置で製造された循環液を用いた床暖房装置を提供する。【解決手段】床暖房用循環液の製造装置は、孟宗竹炭２をすり潰して微粉末３とする粉砕装置と、磨り潰された孟宗竹炭の微粉末３とエチレングリコール４とを等量で混合する混合器７と、前記混合液中の微粉末３をエチレングリコール４中で懸濁可能な粒径に濾過する濾過器５とからなることを特徴とする。【選択図】図１
0003191528.tif 000002
【実用新案登録請求の範囲】
【請求項１】
孟宗竹炭をすり潰す粉砕装置と、磨り潰された孟宗竹炭の微粉末とエチレングリコールとを等量で混合すると共に、前記微粉末をエチレングリコール中で懸濁可能な粒径に濾過する濾過器とからなることを特徴とする床暖房用循環液の製造装置。
【請求項２】
請求項１に記載の床暖房用循環液の製造装置と接続されて循環液を導入する注入口を備えた床暖房装置であって、床下に配管された分配管に熱媒となる循環液を送る循環ポンプと、循環された循環液の熱交換を行う熱交換器と、熱交換器に熱媒となる循環液を循環させるヒータとからなることを特徴とする床暖房装置。
【考案の詳細な説明】
【技術分野】
【０００１】
本考案は、エチレングリコール液と孟宗竹の竹炭微粉末を混合した床暖房用循環液の製造装置およびその循環液を用いた床暖房装置に関する。
【背景技術】
【０００２】
従来、温水式の床暖房装置として、例えば、特開２００４−６１０３７号の循環装置では、熱交換器、循環ポンプ及びコントローラを備えた暖房温水熱源機と、浴室暖房乾燥機及び温水式床暖房フロアとが循環経路を形成する外部配管によって接続されている。そして、熱動弁を全閉にすることで、内部往主管、内部バイパス管及び内部還管のみによって循環経路を形成した状態で、循環ポンプを起動して充填水を強制的に循環させるバイパス運転モードに切り替えると、コントローラが、そのときに実測した循環ポンプの電流値に基づいて、充填水に不凍液が混合されているか否かを判断し、充填水に不凍液が混合されている場合は、凍結予防運転モードを自動的に解除する構成が開示されている。
【０００３】
しかし、上記構成では、熱媒として充填水と不凍液の混合液を用いているため、保有熱（蓄熱）の効果が弱く、冷めやすいという欠点がある。
床暖房の不凍液としては、主成分がエチレングリコールとプロピレングリコールの２種類が知られているが、エチレングリコールは比較的安価で且つ粘度が低いため、床暖房の配管が長い場合に適しているが、いずれの不凍液も長期間にわたって十分な保有熱効果を得ることができないという問題点があった。
【先行技術文献】
【特許文献】
【０００４】
【特許文献１】特開２００４−６１０３７号公報
【考案の概要】
【考案が解決しようとする課題】
【０００５】
この考案が解決しようとする問題点は、不凍液として安価なエチレングリコールを用い、これに孟宗竹炭の微粉末を混合して循環液とし、長期間にわたって十分な保有熱（蓄熱）効果を得ることができる床暖房装置を提供することにある。
【課題を解決するための手段】
【０００６】
本考案は、上記課題を解決するために、請求項１の考案では、
孟宗竹炭をすり潰して微粉末とする粉砕装置と、磨り潰された孟宗竹炭の微粉末とエチレングリコールとを等量で混合する混合器と、前記混合液中の微粉末をエチレングリコール中で懸濁可能な粒径に濾過する濾過器とからなることを特徴とする。
請求項２の発明では、
前記床暖房用循環液の製造装置と接続された注入口を備えた床暖房装置であって、床下に配管された分配管に熱媒となる循環液を送る循環ポンプと、循環された循環液の熱交換を行う熱交換器と、熱交換器に熱媒となる循環液を循環させる加熱窯等のヒータとからなることを特徴とする。
【考案の効果】
【０００７】
本考案の循環液は、不凍液のみを熱媒とする場合に比べて、孟宗竹の竹炭微粉末を混合したことで、保有熱効果（一定の加熱温度）が２倍の時間長く保つことができることを確認した。
また、孟宗竹の竹炭微粉末をエチレングリコール中で懸濁可能な粒径に限定すべく濾過したので、床下配管内で竹炭微粉末がエチレングリコールと分離して管内部の壁面や配管の曲げ部分の内壁面に付着、残留することがなく、長期間使用しても、配管のメンテナンスが不要である。
【図面の簡単な説明】
【０００８】
【図１】床暖房用循環液の製造装置のブロック図である。
【図２】床暖房装置のブロック図である。
【図３】床下構造の一例を示す断面図である。
【図４】床下構造の他の一例を示す断面図である。
【考案を実施するための形態】
【０００９】
以下に、この考案の好適実施例について図面を参照しながら説明する。
図１に示す床暖房用循環液の製造装置１は、孟宗竹炭をすり潰す粉砕装置２と、磨り潰された孟宗竹炭の微粉末３とエチレングリコール４とをほぼ等量で混合すると共に、混合した前記微粉末３をエチレングリコール中で懸濁可能な粒径に濾過する濾過器５とからなっている。
【００１０】
ここで、床暖房の循環液として、不凍液の中から安価なエチレングリコール４を原料の１つとして用いる。
エチレングリコール４は、グリコーゲンが含まれている粘性の高いものと、アルコールが含まれている粘性の低いものとあるが、後述の孟宗竹炭の微粉末３が液体中で懸濁可能な同等な比重で、外気温度に対応して保有熱が冷めにくい種類のものを適宜選択してもよい。
【００１１】
孟宗竹炭の微粉末３は、粉砕装置２により孟宗竹炭をすり潰す。
粉砕装置２は、石臼式やその他、ミクロン単位の微粉末に磨り潰すことができる公知の粉砕機が用いられる。
【００１２】
上記の孟宗竹炭の微粉末３は、前記エチレングリコール４と１：１の割合（重量比）で混合する。
上記混合は、攪拌機を有し、または有しない混合器７内に投入して撹拌するものでもよいし、後述の濾過器５内で混合してもよく、別途、混合器を用いなくてもよい。
【００１３】
濾過器５は、本実施例では、半透膜式高圧濾過装置を用いたが、その他、公知の濾過装置を用いることができる。
この濾過器５によって、前記エチレングリコール４中の孟宗竹炭の微粉末３がエチレングリコール４中で懸濁しうる粒径のものに限定する。
このように濾過器５で濾過されたエチレングリコール４と微粉末３’の混合液を循環液６として使用する。
【００１４】
上記のように、循環液６中の微粉末３’は、エチレングリコール４中で懸濁し沈むことがないので、配管内でエチレングリコール４に混合された孟宗竹炭の微粉末３’が沈んで配管の内壁面や曲げ（エルボー）部分の背壁面に残留したり付着することがなく、メンテナンスフリーとなる。
実験の結果、直径１２ｍｍの高分子ポリマーの配管を１００ｍ延出して循環路とし、７年間使用したところ、前記配管の内壁面には微粉末３’の付着や残留がなく、循環液の使用により配管が損傷した個所は見いだせなかった。
【００１５】
これにより、従来の不凍液の単独使用に比して、循環液は一定の加熱温度を約２倍以上の時間維持することができるので、床暖房の配管の長さを長く配置することができる。
これは前記微粉末３’にある多数の細孔に加熱された液体が保持されて、保有熱を長時間保持することができるものと考えられる。
【００１６】
次に、上記循環液６を用いた床暖房装置１０の一例について図２を参照しながら説明する。
床暖房装置１０は、前記床暖房用循環液の製造装置１と接続可能な注入口１１を備えており、室内の床下に配管された分配管１２に熱媒となる循環液６を送る循環ポンプ１３と、循環された循環液６の熱交換を行う熱交換器１４と、熱交換器１４に熱媒となる循環液６を循環させる加熱窯等のヒータ１５とからなっている。
図中、符号１６は、深夜電力を利用する配電盤、１７はヒータ１５の温度を制御する温度設定パネル、１８は予備タンクである。
【００１７】
この床暖房装置１０は、前記注入口１１から予備タンク１８を介して導入された循環液１６は、ヒータ１５により加熱され、循環ポンプ１３によって分配器１９を介して多数の分配管１２に供給される。
同様に、図示例では、ヒータ１５で加熱された循環液６が循環ポンプ１３に設けられた熱交換器１４の熱媒として循環して用いられる。
【００１８】
前記分配器１９を通過して温度が下がった循環液１６は前記循環ポンプ１３に戻されて、熱交換器１４に接して所定の温度に加熱されて、再度、分配器１９を介して分配管１２に送られて床暖房を行う。
この考案で使用する床暖房装置は上記構成に限らず、公知の構成を用いることができる。
【００１９】
図３、図４は、は床暖房における床下構造の一例を示す。
図３の床下構造は、床となる最上段がフローリングの層２１からなっている。
該フローリング層２１の下には、分配管１２と、床板（フローリング用タル木）２２とが同一レベルに配置されており、分配管１２と床板２２との隙間には、２０ｍｍ、３０ｍｍ、４０ｍｍの砂利石２３が略隙間なく充填されて第２層を形成している。
【００２０】
上記第２層の下には、配管保持用のメッシュ２４（太さ３ｍｍ、１０ｍｍ角の鉄筋）が敷設されて第３層となり、その下に断熱材層２５（厚さ１０ｍｍ以上）、合板層２６（厚さ１８ｍｍ以上）が形成されている。
【００２１】
図４の床下構造は、床となる最上段が仕上げタイルまたは大理石層３１からなっている。
該大理石層３１の下には、第２層となるコンクリート層３２が形成され、その下に分配管１２が形成されている。
該分配管１２は、管と管の間を、設置場所に応じて２０ｍｍ、３０ｍｍ、４０ｍｍの間隔を空けて配置している。
【００２２】
上記分配管１２の下には、前記図３と同様に、配管保持用のメッシュ３４が敷設されて第４層となっており、その下には、断熱材層３５、コンクリート層３６が形成されている。
この考案の床下構造は、上記構成に限定されることなく、その他の公知の構成を用いることができる。
【００２３】
このように、この考案によれば、（１）灯油暖房のように給油の手間を必要とせず、電力消費も少なく、深夜電力を利用すことで一層経済的に床暖房を行うことができる。
（２）雑音もなく、室内を汚すこともなく、健康面にも優れた装置である。
（３）床を温めるための循環液に蓄熱性の高い孟宗竹炭の微粉末と、外気温度が−４０℃でも凍らないエチレングリコールとの混合液を用いるので、氷点下であっても分配管の破裂を防止でき、循環液の酸化も生じないので、装置の構造の信頼性が高く安心して長期間にわたって使用できる。
【００２４】
この考案は、上記実施例に限定されるものではなく、この考案の要旨を変更しない範囲で種々変更しうること勿論である。
【符号の説明】
【００２５】
１    床暖房用循環液の製造装置
２    粉砕装置
３    孟宗竹炭の微粉末
５    濾過器
６    循環液
１０    床暖房装置
１１    注入口
１２    分配管
１３    循環ポンプ
１４    熱交換器
１５    ヒータ
１６    配電盤
１７    制御パネル
１８    予備タンク
１９    分配器
２１    フローリング層
２２    床板
２３    砂利石
２４    メッシュ
２５    断熱材層
２６    合板層
３１    大理石層
３２    コンクリート層
３４    メッシュ
３５    断熱材層
３６    コンクリート層
【図１】
0003191528.tif 000003
【図２】
0003191528.tif 000004
【図３】
0003191528.tif 000005
【図４】
0003191528.tif 000006